【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
小型デジタルアッセイ装置であって、
検出容器と、
検出容器に向かって光を放射するように構成された光源と、
単一のフィルタであって、
光源から発せられ、検出容器内の試料から反射された光を受け取り、
検出容器内の試料からの出力を受け取る
ように配置された、単一のフィルタと、
反射された光の一部分と、単一のフィルタを通過する出力の一部分とを受け取るように構成された、検出器と
を含む、小型デジタルアッセイ装置。
【請求項２】
光源が発光ダイオードである、請求項１に記載の装置。
【請求項３】
光源が複数の発光ダイオードを含む、請求項２に記載の装置。
【請求項４】
光源が２つ以上の光源から構成される、請求項１に記載の装置。
【請求項５】
光源が色を変化させるように構成される、請求項１に記載の装置。
【請求項６】
光源が青色と緑色との間で変化するように構成される、請求項５に記載の装置。
【請求項７】
緑色光源が、ビーズが試料中に存在するかどうかを識別する光学データを検出器が生成するように検出器用の検出容器内の試料に反射する、請求項６に記載の装置。
【請求項８】
青色光源が、酵素が試料中に存在するかどうかを識別する光学データを検出器が生成するように検出器用の検出容器内の試料を励起する、請求項６に記載の装置。
【請求項９】
出力が、光源による検出容器内の試料の励起後に生成された蛍光である、請求項１に記載の装置。
【請求項１０】
出力が、検出容器内の試料の化学反応によって生成される、請求項１に記載の装置。
【請求項１１】
小型デジタルアッセイ装置であって、
検出容器と、
検出容器に対してある角度で検出容器に向かって光を放射するように構成された第１の光源と、
検出容器に向かって光を放射するように構成された第２の光源と、
単一のフィルタであって、
第１の光源から発せられ、検出容器内の試料から反射された光を受け取り、
検出容器内の試料からの蛍光出力を受け取る
ように配置された、単一のフィルタと、
反射された光の一部分と、単一のフィルタを通過する蛍光の一部分とを受け取るように構成された検出器と
を含む、小型デジタルアッセイ装置。
【請求項１２】
検出容器が、ほぼ９０度でその中を延びる軸を含む、請求項１１に記載の装置。
【請求項１３】
第１の光源が、軸に対してある角度に配置される、請求項１２に記載の装置。
【請求項１４】
角度が０度から９０度の間である、請求項１３に記載の装置。
【請求項１５】
角度が４５度から９０度の間である、請求項１３に記載の装置。
【請求項１６】
角度が８０度である、請求項１３に記載の装置。
【請求項１７】
第２の光源が、軸に沿って進行する光ビームを放射するように構成される、請求項１２に記載の装置。
【請求項１８】
第２の光源が軸に対して横方向にオフセットされており、第２の光源が、軸に平行に進行する光ビームを放射するように構成される、請求項１２に記載の装置。
【請求項１９】
第２の光源が２つ以上の光源を含む、請求項１１に記載の装置。
【請求項２０】
第１の光源が発光ダイオードである、請求項１１に記載の装置。
【請求項２１】
第１の光源が複数の発光ダイオードを含む、請求項２０に記載の装置。
【請求項２２】
第１の光源が２つ以上の光源から構成される、請求項１１に記載の装置。
【請求項２３】
第１の光源が緑色発光ダイオードである、請求項１１に記載の装置。
【請求項２４】
第２の光源が青色発光ダイオードである、請求項１１に記載の装置。
【請求項２５】
検出器が、第１の光源から発せられた光に基づいて第１の画像を生成するように構成され、第１の画像が検出容器内の試料中のビーズの位置を識別する、請求項１１に記載の装置。
【請求項２６】
検出器が、第２の光源による活性化の後、試料からの蛍光出力に基づいて第２の画像を生成するように構成され、第２の画像が検出容器内の試料中の標識の存在を検出する、請求項２５に記載の装置。
【請求項２７】
第１の光源が色を含み、さらに、色が単一のフィルタに基づいている、請求項１１に記載の装置。
【請求項２８】
小型デジタルアッセイ装置であって、
複数の検出容器を有する試料アレイと、
検出容器に対してある角度で検出容器に向かって光を放射して、検出容器内の試料を照射するように構成された第１の光源と、
鏡または他の反射物体を使用することなく検出容器に向かって光を放射するように構成され、検出容器内の試料を活性化して、出力を放射するようにさらに構成された第２の光源と、
フィルタであって、
第１の光源から発せられ、検出容器から反射された光を受け取り、
検出容器内の試料からの出力を受け取る
ように配置された、フィルタと
反射された光と、フィルタを通過する試料からの出力とを受け取り、どのウェルがビーズを含むか、およびどのウェルが標識を含むかを識別する光学データを生成するように構成された検出器と、
を含む、小型デジタルアッセイ装置。
【請求項２９】
試料アレイが、ほぼ９０度でその中を延びる軸を含む、請求項２８に記載の装置。
【請求項３０】
第１の光源が、軸に対してある角度に配置される、請求項２９に記載の装置。
【請求項３１】
角度が０度から９０度の間である、請求項３０に記載の装置。
【請求項３２】
角度が４５度から９０度の間である、請求項３０に記載の装置。
【請求項３３】
角度が８０度である、請求項３０に記載の装置。
【請求項３４】
第２の光源が、軸に沿って進行する光ビームを放射するように構成される、請求項２９に記載の装置。
【請求項３５】
第２の光源が軸に対して横方向にオフセットされており、第２の光源が、軸に平行に進行する光ビームを放射するように構成される、請求項２９に記載の装置。
【請求項３６】
第２の光源が２つ以上の光源を含む、請求項２８に記載の装置。
【請求項３７】
第１の光源が発光ダイオードである、請求項２８に記載の装置。
【請求項３８】
第１の光源が複数の発光ダイオードを含む、請求項３７に記載の装置。
【請求項３９】
第１の光源が２つ以上の光源から構成される、請求項２８に記載の装置。
【請求項４０】
第１の光源が緑色発光ダイオードである、請求項２８に記載の装置。
【請求項４１】
第２の光源が青色発光ダイオードである、請求項２８に記載の装置。
【請求項４２】
光学データが、検出容器内の、存在するなら、ビーズの位置と、検出容器内の、存在するなら、標識とを識別する画像である、請求項２８に記載の装置。
【請求項４３】
第１の光源が色を含み、さらに、色がフィルタに基づいている、請求項２８に記載の装置。
【請求項４４】
小型デジタルアッセイ装置であって、
複数のナノウェル内に配置された複数の試料を含む試料アレイと、
試料アレイに対してある角度で試料アレイに向かって光を放射して、試料アレイ内の試料を照射するように構成され、４５０ｎｍから５５０ｎｍの間の波長を有する光源と、
試料から反射された光の一部分を受け取るように構成された検出器と
を含む、小型デジタルアッセイ装置。
【請求項４５】
光源が発光ダイオードである、請求項４４に記載の装置。
【請求項４６】
光源が複数の発光ダイオードを含む、請求項４５に記載の装置。
【請求項４７】
光源が２つ以上の光源を含む、請求項４４に記載の装置。
【請求項４８】
光源が色を変化させるように構成される、請求項４４に記載の装置。
【請求項４９】
光源が、青色と緑色との間で変化するように構成される、請求項４８に記載の装置。
【請求項５０】
緑色光源が、ビーズが試料中に存在するかどうかを識別する光学データを検出器が生成するように検出器用の試料アレイ内の試料に反射する、請求項４９に記載の装置。
【請求項５１】
角度が、試料アレイに垂直に向けられた軸に対して０度から９０度の間である、請求項４４に記載の装置。
【請求項５２】
角度が、試料アレイに垂直に向けられた軸に対して４５度から９０度の間である、請求項４４に記載の装置。
【請求項５３】
角度が、試料アレイに垂直に向けられた軸に対して８０度である、請求項４４に記載の装置。